(57)【要約】【課題】  従来と比べて迅速にネットワークに新たな回線を設定する。【解決手段】  ネットワークに接続される通信装置と、通信装置の動作を監視する監視装置とを備える通信システムのネットワーク設定方法は、ネットワークに通信装置を接続する前に、通信装置への設定処理を模擬するシミュレータを監視装置に接続し、監視装置からの指示に基づいて、シミュレータに通信装置への設定処理を仮想的に実行させて、通信装置がネットワークに接続される前に通信装置の設定情報をシミュレータに生成させ、シミュレータによって生成された設定情報を通信装置に設定する。【選択図】  図２
2017034427.tif 000002
【特許請求の範囲】
【請求項１】
ネットワークに接続される通信装置と、前記通信装置の動作を監視する監視装置とを備える通信システムのネットワーク設定方法であって、
前記ネットワークに前記通信装置を接続する前に、前記通信装置への設定処理を模擬するシミュレータを前記監視装置に接続し、
前記監視装置からの指示に基づいて、前記シミュレータに前記通信装置への設定処理を仮想的に実行させて、前記通信装置が前記ネットワークに接続される前に前記通信装置の設定情報を前記シミュレータに生成させ、
前記シミュレータによって生成された前記設定情報を前記通信装置に設定する
ことを特徴とする通信システムのネットワーク設定方法。
【請求項２】
ネットワークに接続される通信装置と、前記通信装置の動作を監視する監視装置とを備える通信システムのネットワーク設定方法であって、
前記通信装置への設定処理を模擬するシミュレータを前記通信装置に接続し、前記通信装置の設定情報を前記シミュレータに保持させ、
前記通信装置の故障時に、前記監視装置からの指示に基づいて、前記シミュレータに前記通信装置への設定処理を仮想的に実行させて、故障した前記通信装置に関する既存のネットワークの設定を変更する
ことを特徴とする通信システムのネットワーク設定方法。
【請求項３】
ネットワークに接続される通信装置と、
前記通信装置の動作を監視する監視装置と、
前記通信装置への設定処理を模擬するシミュレータと、を備え、
前記シミュレータは、前記監視装置からの指示に基づいて、前記通信装置への設定処理を仮想的に実行することで、前記通信装置が前記ネットワークに接続される前に前記通信装置の設定情報を生成し、
前記通信装置は、前記シミュレータによって生成された前記設定情報を保持する状態で前記ネットワークに接続される
ことを特徴とする通信システム。
【請求項４】
ネットワークに接続される通信装置と、
前記通信装置の動作を監視する監視装置と、
前記通信装置への設定処理を模擬し、前記通信装置の設定情報を保持するシミュレータと、を備え、
前記シミュレータは、前記通信装置の故障時に、前記監視装置からの指示に基づいて、前記通信装置への設定処理を仮想的に実行することで、故障した前記通信装置に関する既存のネットワークの設定を変更する
ことを特徴とする通信システム。
【発明の詳細な説明】
【技術分野】
【０００１】
本発明は、通信システムのネットワーク設定方法および通信システムに関する。
【背景技術】
【０００２】
複数の通信装置を接続することでネットワークを構築する通信システムでは、通信装置の動作を監視する監視装置により、オペレータがネットワーク上の通信装置の状態を管理する。
【０００３】
また、通信装置の交換、増設時などにＩＰ(Internet Protocol)サービスの停止を抑止するために、ネットワークにおいてデータ通信に用いる迂回経路の有無や使用可否を確認するルートシミュレーション方法が提案されている（例えば、特許文献１参照）。
【先行技術文献】
【特許文献】
【０００４】
【特許文献１】特開２００９−２４６５００号公報
【発明の概要】
【発明が解決しようとする課題】
【０００５】
通信装置を増設してネットワーク上で新規のパスを開設する場合、増設する通信装置の設置が終了しないとパスの登録等の設定作業が困難なため、通信装置の設置にかかる時間が増える虞がある。
【０００６】
また、通信装置が故障した場合、監視装置は、故障した通信装置を迂回する回線を設定するため、故障した通信装置を通る回線の設定を削除する処理を故障した通信装置に対して実行する。しかしながら、通信装置の故障により設定の削除が困難な場合があり、監視装置は、迂回する回線の設定が困難となる。
【０００７】
一つの側面では、本件開示の通信システムのネットワーク設定方法および通信システムは、従来と比べて迅速にネットワークに新たな回線を設定することを目的とする。
【課題を解決するための手段】
【０００８】
一つの観点による通信システムのネットワーク設定方法は、ネットワークに接続される通信装置と、通信装置の動作を監視する監視装置とを備える通信システムのネットワーク設定方法であって、ネットワークに通信装置を接続する前に、通信装置への設定処理を模擬するシミュレータを監視装置に接続し、監視装置からの指示に基づいて、シミュレータに通信装置への設定処理を仮想的に実行させて、通信装置がネットワークに接続される前に通信装置の設定情報をシミュレータに生成させ、シミュレータによって生成された設定情報を通信装置に設定する。
【０００９】
別の観点による通信システムのネットワーク設定方法は、ネットワークに接続される通信装置と、通信装置の動作を監視する監視装置とを備える通信システムのネットワーク設定方法であって、通信装置への設定処理を模擬するシミュレータを通信装置に接続し、通信装置の設定情報をシミュレータに保持させ、通信装置の故障時に、監視装置からの指示に基づいて、シミュレータに通信装置への設定処理を仮想的に実行させて、故障した通信装置に関する既存のネットワークの設定を変更する。
【００１０】
一つの観点による通信システムは、ネットワークに接続される通信装置と、通信装置の動作を監視する監視装置と、通信装置への設定処理を模擬するシミュレータと、を備え、シミュレータは、監視装置からの指示に基づいて、通信装置への設定処理を仮想的に実行することで、通信装置がネットワークに接続される前に通信装置の設定情報を生成し、通信装置は、シミュレータによって生成された設定情報を保持する状態でネットワークに接続される。
【００１１】
別の観点による通信システムは、ネットワークに接続される通信装置と、通信装置の動作を監視する監視装置と、通信装置への設定処理を模擬し、通信装置の設定情報を保持するシミュレータと、を備え、シミュレータは、通信装置の故障時に、監視装置からの指示に基づいて、通信装置への設定処理を仮想的に実行することで、故障した通信装置に関する既存のネットワークの設定を変更する。
【発明の効果】
【００１２】
本件開示の通信システムのネットワーク設定方法および通信システムは、従来と比べて短時間でネットワークに新たな回線を設定できる。
【図面の簡単な説明】
【００１３】
【図１】通信システムの一実施形態を示す図である。
【図２】図１からパスの開設作業が進行した状態を示す図である。
【図３】通信装置およびシミュレータサーバの例を示す図である。
【図４】図１、図２に示した通信システムにおける設定処理の一例を示す流れ図である。
【図５】通信システムの別の実施形態を示す図である。
【図６】図５に示した通信システムにおける設定処理の一例を示す流れ図である。
【発明を実施するための形態】
【００１４】
以下、図面を用いて実施形態を説明する。
【００１５】
図１は、通信システムの一実施形態を示す。
【００１６】
図１に示す通信システム１００は、通信装置１０（１０（１）−１０（４））と、監視装置の一例である監視サーバ１１と、操作端末１２と、シミュレータの一例であるシミュレータサーバ１３とを有する。
【００１７】
通信装置１０は、例えば、ネットワークを伝送するデータを含む信号を伝送するノード装置等である。通信装置１０（１）、通信装置１０（２）は、例えば光ファイバあるいはケーブル等の通信回線１４ａで接続され、通信装置１０（１）、１０（２）の間でデータを伝送する。通信装置１０（２）、通信装置１０（３）は、通信回線１４ｂで接続され、通信装置１０（２）、１０（３）の間でデータを伝送する。図１では、通信回線１４ａ、１４ｂおよび通信装置１０（２）を経由して通信装置１０（１）、１０（３）を接続するパス１５Ａが設けられている。
【００１８】
また、通信装置１０（４）は、新たに設置される通信装置である。すなわち、通信装置１０（４）は、通信回線１４ｃを介して通信装置１０（１）と新たに接続され、通信回線１４ｄを介して通信装置１０（３）と新たに接続される。そして、通信回線１４ｃ、１４ｄおよび通信装置１０（４）を経由して通信装置１０（１）、１０（３）を接続するパス（図２に示すパス１５Ｂ）が通信システム１００に新たに設けられる。なお、図１に示す通信システム１００では、通信装置１０（４）、通信回線１４ｃ、１４ｄが設置前の状態であるので、通信装置１０（４）、通信回線１４ｃ、１４ｄをそれぞれ破線で示している。
【００１９】
なお、図１に示した通信装置１０（１）−１０（３）はさらに他の通信装置にそれぞれ接続されていてもよい。
【００２０】
監視サーバ１１は、通信システム１００の運営者によって運用されるコンピュータであり、例えば、ＳＮＭＰ（Simple Network Management Protocol）のプロトコルに準拠して、通信システム１００に含まれる通信装置１０の監視および制御を行う。また、監視サーバ１１は、各々の通信装置１０に対してネットワークの設定処理を実行する。
【００２１】
図１において、監視サーバ１１には、通信装置１０（１）−１０（３）と、操作端末１２と、シミュレータサーバ１３とが接続されている。操作端末１２は、通信システム１００の運営者の操作を受け付けるコンピュータである。例えば、運営者は、操作端末１２から監視サーバ１１に指示を行い、所望の通信装置１０に対するネットワークの設定処理を監視サーバ１１に実行させる。
【００２２】
シミュレータサーバ１３は、通信装置１０（４）を通信システム１００のネットワークに接続する前に監視サーバ１１に接続され、新たに設置される通信装置１０（４）に対するネットワークの設定処理を模擬するコンピュータである。シミュレータサーバ１３は、フラッシュメモリあるいはハードディスク等のメモリ１３ａを有する。メモリ１３ａは保持部の一例である。メモリ１３ａは、シミュレータサーバ１３が通信端末１０（４）を模擬した仮想的なネットワークの設定処理で生成された通信装置１０（４）用の設定情報が保持される。通信装置１０（４）用の設定情報には、例えば、ＩＰアドレス、通信に使用する通信ポートのポート番号、通信帯域の設定、ルーティングプロトコル、回線ごとにいずれの通信装置１０を通っているかを示すルーティングテーブルなどが含まれる。
【００２３】
なお、パス１５Ｂの開設のために、監視サーバ１１は、シミュレータサーバ１３が通信装置１０（４）に対するネットワークの設定処理を実行する場合、パス１５Ｂのノードとなる通信装置１０（１）、１０（３）への設定処理も実行する。また、シミュレータサーバ１３は、通信装置１０（４）の設定情報とともに、通信装置１０（１）−１０（３）に設定された設定情報をメモリ１３ａに保持してもよい。そして、シミュレータサーバ１３は、保持した設定情報を用い、監視サーバ１１から設定指示を受けた場合、通信装置１０（１）−１０（４）に対する設定処理をそれぞれ実行してもよい。
【００２４】
なお、シミュレータサーバ１３のメモリ１３ａに保持された設定情報を通信装置１０（４）に引き渡すために、シミュレータサーバ１３は通信装置１０（４）と接続されてもよい。また、シミュレータサーバ１３は、通信装置１０（４）とともに、通信装置１０（１）−１０（３）に接続されてもよい。あるいは、通信装置１０ごとにシミュレータサーバ１３が接続されてもよい。
【００２５】
図２は、図１からパスの開設作業が進行した状態を示す。図２では、通信装置１０（４）と、通信回線１４ｃ、１４ｄとが通信システム１００に新たに設けられている。なお、図２では、監視サーバ１１と、通信装置１０（１），１０（２）とを接続する回線の図示を部分的に省略する。
【００２６】
図２では、シミュレータサーバ１３と通信装置１０（４）とが接続され、シミュレータサーバ１３のメモリ１３ａに保持された設定情報が通信装置１０（４）の記憶部２６に転送される。通信装置１０（４）にシミュレータサーバ１３の設定情報が転送された後に、監視サーバ１１は、通信装置１０（４）との接続を有効とする一方で、通信装置１０（４）を模擬するシミュレータサーバ１３との接続を無効とする。これにより、シミュレータサーバ１３から通信装置１０（４）への切り替えが行われ、通信装置１０（４）がネットワークに接続された状態になる。そして、通信システム１００には、通信回線１４ｃ、１４ｄおよび通信装置１０（４）を経由して通信装置１０（１）、１０（３）を接続するパス１５Ｂが開設される。なお、シミュレータサーバ１３は、パス１５Ｂの開設後に通信システム１００から除去してもよい。
【００２７】
シミュレータサーバ１３は、図２に示したパス１５Ｂを介して通信装置１０（１）、１０（３）と接続する、通信装置１０（４）に対する設定処理を実行し、通信装置１０（４）の設定情報を生成する。シミュレータサーバ１３は、生成した設定情報をメモリ１３ａに保持するとともに通信装置１０（４）に転送する。通信装置１０（４）は、シミュレータサーバ１３から受けた設定情報を記憶部２６に記憶する。通信装置１０（４）は、記憶部２６に記憶された設定情報を用いて、パス１５Ｂを介してデータを伝送するための処理を実行する。通信装置１０（４）にシミュレータサーバ１３の設定情報が転送された後に、監視サーバ１１は、通信装置１０（４）との接続を有効とし、シミュレータサーバ１３との接続を無効とする。これにより、シミュレータサーバ１３から通信装置１０（４）への切り替えが行われ、通信装置１０（４）がネットワークに接続された状態になる。そして、通信システム１００には、通信回線１４ｃ、１４ｄおよび通信装置１０（４）を経由して通信装置１０（１）、１０（３）を接続するパス１５Ｂが開設される。
【００２８】
図３は、図１に示した通信装置１０（４）およびシミュレータサーバ１３の一例を示す。
【００２９】
通信装置１０（４）は、通信部２１と、監視Ｉ／Ｆ（Interface）２２と、設定Ｉ／Ｆ２３と、制御部２４と、を有する。なお、通信装置１０（１）−１０（３）についても、図３に示した通信装置１０（４）と同一あるいは同様の要素を有する。
【００３０】
通信部２１は、それぞれ通信回線を介して他の通信装置１０との間でデータを伝送する通信Ｉ／Ｆ（Ｉ／Ｆ盤）２１ａを複数有している。なお、通信Ｉ／Ｆ２１ａは、他の通信装置１０との間で光信号を送受するモジュールであってもよく、他の通信装置１０との間で電気信号を送受するモジュールであってもよい。
【００３１】
監視Ｉ／Ｆ２２は、監視サーバ１１との通信を行うためのインタフェースである。なお、監視Ｉ／Ｆ２２は、通信部２１の通信Ｉ／Ｆ２１ａを用いてもよい。
【００３２】
設定Ｉ／Ｆ２３は、シミュレータサーバ１３との通信を行うためのインタフェースである。設定Ｉ／Ｆ２３は、例えば、シミュレータサーバ１３で生成された設定情報を受信する。
【００３３】
制御部２４は、制御プログラムを実行するプロセッサであり、通信装置１０（４）の動作を統括的に制御する。例えば、制御部２４は、通信部２１により受信された、あるいは通信部２１から送信するデータを含んだ信号に対して信号処理を実行する。また、制御部２４は、各通信Ｉ／Ｆ２１ａの論理ポートの稼働／閉塞の制御や、伝送するデータのルーティングの制御を行う。
【００３４】
また、制御部２４は、設定処理部２５と、記憶部２６とを有する。設定処理部２５は、ＢＵ（Back Up）ロジックなどの設定プログラムを実行し、監視サーバ１１との間でネットワークとの接続に対する設定処理を実行する。通信装置１０（４）が監視サーバ１１との間でネットワークとの接続に対する設定処理を実行した場合、設定処理部２５が通信装置１０（４）用の設定情報を生成する。
【００３５】
また、制御部２４の記憶部２６は、通信装置１０（４）用の設定情報を保持する不揮発性の記憶媒体である。パス１５Ｂの開設作業時には、シミュレータサーバ１３で生成された設定情報が記憶部２６に保持される。そして、パスの開設後にネットワーク設定の変更が行われた場合、通信装置１０（４）の設定処理部２５で生成された設定情報が記憶部２６に保持される。この場合、設定処理部２５は、生成した設定情報をシミュレータサーバ１３にも送信する。これにより、通信装置１０（４）が故障した場合でも、シミュレータサーバ１３は、最新の通信装置１０（４）用の設定情報を有することができる。
【００３６】
シミュレータサーバ１３は、図１に示したメモリ１３ａと、監視Ｉ／Ｆ３２と、設定Ｉ／Ｆ３３と、演算部３４と、を有する。
【００３７】
監視Ｉ／Ｆ３２は、監視サーバ１１との通信を行うためのインタフェースである。
【００３８】
設定Ｉ／Ｆ３３は、通信装置１０（４）との通信を行うためのインタフェースであり、例えば、メモリ１３ａに保持された設定情報を通信装置１０（４）に送信する。設定Ｉ／Ｆ３３は、送信部の一例である。
【００３９】
演算部３４は、通信装置１０（４）の設定処理部２５と同様に、ＢＵロジックなどの設定プログラムを実行するプロセッサである。演算部３４は、通信装置１０（４）に対するネットワークの設定処理を監視サーバ１１との間で仮想的に実行し、生成した通信装置１０（４）用の設定情報をメモリ１３ａに保持させる。
【００４０】
図４は、図１、図２に示した通信システム１００における設定処理の一例を示す。図４に示した処理は、伝送装置１０（４）が図１に示した通信システム１００に新たに設置される場合の処理を示す。
【００４１】
ステップＳ１０１において、監視サーバ１１は、通信システム１００の運営者からの指示を、操作端末１２を介して受け、シミュレータサーバ１３と接続される。
【００４２】
ステップＳ１０２において、監視サーバ１１は、操作端末１２を介して運営者からの通信装置１０（４）に対するネットワークと接続させる設定処理の指示を受ける。監視サーバ１１は、通信装置１０（４）に対する設定処理をシミュレータサーバ１３に実行させる。これにより、シミュレータサーバ１３は、通信装置１０（４）用の設定情報を生成し、生成した設定情報をメモリ１３ａに保持する。
【００４３】
例えば、ステップＳ１０２の後、通信システム１００に通信装置１０（４）が設置される。また、通信装置１０（１）および通信装置１０（４）が通信回線１４ｃで物理的に接続され、通信装置１０（３）および通信装置１０（４）が通信回線１４ｄで物理的に接続される。また、設定Ｉ／Ｆ２３，３３を介して、シミュレータサーバ１３と通信装置１０（４）とが接続される。なお、ステップＳ１０２の段階では、通信装置１０（４）と監視サーバ１１との接続は無効であり、通信装置１０（４）はネットワークと接続されていない状態にある。
【００４４】
ステップＳ１０３において、シミュレータサーバ１３は、ステップＳ１０２でメモリ１３ａに保持された通信装置１０（４）用の設定情報を、通信装置１０（４）の記憶部２６に転送する。そして、通信装置１０（４）の制御部２４は、受信した設定情報を記憶部２６に保持する。
【００４５】
ステップＳ１０４において、監視サーバ１１は、操作端末１２からの運営者の指示に応じて、通信装置１０（４）との接続を有効とし、シミュレータサーバ１３との接続を無効とする。そして、通信システム１００は、パス１５Ｂの設定処理を終了する。
【００４６】
以上、図１から図４に示した実施形態では、パスの開設作業時に、シミュレータサーバ１３は、通信装置１０（４）を設置する前に通信装置１０（４）用の設定情報を生成する。これにより、通信システム１００は、通信装置１０（４）の設置完了を待たずに、ネットワークの設定作業を並行して行うことができ、通信装置１０（４）の設置完了後に設定作業を行う場合と比べて、パス１５Ｂを迅速に設定できる。
【００４７】
図５は、通信システムの別の実施形態を示す。図１−図３で説明した要素と同一または同様の要素については、同一または同様の符号を付し、これ等については、詳細な説明を省略する。
【００４８】
図５に示した通信システム１００Ａでは、通信装置１０（４）が設置され、通信回線１４ｃ、１４ｄを介して各通信装置１０（１）、１０（３）と物理的に接続されている。そして、通信装置１０（４）は、例えば、図５に示した通信装置１０（１）−１０（３）以外の通信装置１０との間で回線が設定されている。また、シミュレータサーバ１３は、通信装置１０（２）と接続されている。なお、図５では、図２と同様に、監視サーバ１１と、通信装置１０（１），１０（２）とを接続する回線の図示を部分的に省略する。
【００４９】
図６は、図５に示した通信システム１００Ａにおける設定処理の一例を示す。図６に示した処理は、図５に示したパス１５Ａが設定された通信装置１０（２）が故障した場合、通信装置１０（１）、１０（４）、１０（３）を用いて迂回する新たなパス１５Ｃを設定する場合を示す。なお、図５ではパス１５Ｃを破線で示している。
【００５０】
ステップＳ２０１において、通信装置１０（２）は、例えば設定情報に変更が生じる毎に、設定Ｉ／Ｆ２３、３３を介してシミュレータサーバ１３に設定情報を送信する。シミュレータサーバ１３は、受信した設定情報をメモリ１３ａに記憶して設定情報のバックアップを行う。
【００５１】
ステップＳ２０２において、監視サーバ１１は、通信装置１０（２）の故障を検出したか否かを判定する。監視サーバ１１は、例えば、Trap機能によって通信装置１０（２）からの異常通知を受信した、あるいは通信装置１０（２）へのステータスポーリングに対して通信装置１０（２）からの応答がないなどの場合、通信装置１０（２）の故障を検出する。監視サーバ１１が通信装置１０（２）の故障を検出した場合、通信システム１００Ａの処理はステップＳ２０３の処理に移る。監視サーバ１１が通信装置１０（２）の故障を検出しない場合、ステップＳ２０１の処理に移る。
【００５２】
ステップＳ２０３において、監視サーバ１１は、故障した通信装置１０（２）との接続を無効とするために、シミュレータサーバ１３との接続を有効とする。
【００５３】
ステップＳ２０４において、監視サーバ１１は、操作端末１２を介した管理者からの指示に基づいて、通信装置１０（２）に対するネットワークの設定処理を実行する。監視サーバ１１は、例えば、故障した通信装置１０（２）をネットワークとの接続を無効（すなわち、パス１５Ａを削除）し、通信装置１０（１）、１０（４）、１０（３）を通る新たなパスを設定する。そのために、監視サーバ１１は、故障した通信装置１０（２）の代わりに、通信装置１０（２）に対するネットワークとの接続を無効にする（すなわち、パス１５Ａを削除する）設定処理をシミュレータサーバ１３に対して仮想的に実行させる。シミュレータサーバ１３は、通信装置１０（２）用の設定情報を生成し、生成した設定情報をメモリ１３ａに保持する。また、監視サーバ１１は、通信装置１０（１）、１０（３）に対してもパス１５Ａを削除する設定処理を実行する。なお、監視サーバ１１は、シミュレータサーバ１３に、通信装置１０（１）、１０（３）におけるパス１５Ａを削除する設定処理を仮想的に実行させてもよい。そして、シミュレータサーバ１３は、通信装置１０（１）、１０（３）用の設定情報を生成し、生成した各設定情報をメモリ１３ａに保持するとともに、通信装置１０（１）、１０（３）の記憶部２６にそれぞれ転送してもよい。
【００５４】
通信システムの種類によっては、矛盾する設定の発生を抑止するために、既存のパスの設定を残した状態ではパスのルート変更を許容しない場合がある。この種の通信システムの場合、通信装置１０（２）が故障すると、既存のパスの設定変更ができなくなるのでパスのルートを変更することが困難である。一方、通信装置１０（２）が故障している場合でも、シミュレータサーバ１３が、通信装置１０（２）に対するネットワークの設定処理を仮想的に実行する。これにより、通信システム１００Ａは、通信装置１０（２）が故障している状況でも、通信装置１０（２）の設定変更を伴うパス１５Ａの削除が可能となり、通信障害を迅速に解消できる。
【００５５】
ステップＳ２０５において、監視サーバ１１は、通信装置１０（１）、１０（４）、１０（２）の各々に対して、新たなパス１５Ｃを設定する設定処理を実行させる。監視サーバ１１は、シミュレータサーバ１３に、通信装置１０（１）、１０（４）、１０（３）に新たなパス１５Ｃを設定する設定処理を仮想的に実行させてもよい。そして、シミュレータサーバ１３は、通信装置１０（１）、１０（４）、１０（３）用の設定情報を生成し、生成した各設定情報をメモリ１３ａに保持するとともに、通信装置１０（１）、１０（４）、１０（３）の記憶部２６にそれぞれ転送する。
【００５６】
これにより、通信システム１００Ａは、通信装置１０（１）、１０（３）間のデータの伝送を、通信装置１０（４）を介したパス１５Ｃで行える。そして、通信システム１００Ａは、処理を終了する。
【００５７】
以上、図５、図６に示した実施形態では、通信装置１０（２）が故障した場合、シミュレータサーバ１３が、通信装置１０（２）の代わりに、保持する通信装置１０（２）用の設定処理を用いて、パス１５Ａを削除する設定処理を仮想的に実行する。これにより、通信システム１００Ａは、パス１５Ａを削除することができ、通信装置１０（４）を介した通信装置１０（１）１０（３）間の新たなパス１５Ｃを設定できる。そして、通信システム１００Ａは、従来と比べて通信障害から迅速に復旧できる。
【００５８】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００５９】
１００，１００Ａ…通信システム、１０…通信装置、１１…監視サーバ、１２…操作端末、１３…シミュレータサーバ、１３ａ…メモリ、１４ａ−ｄ…通信回線、１５Ａ−Ｂ…パス、２１…通信部、２１ａ…通信Ｉ／Ｆ、２２，３２…監視Ｉ／Ｆ、２３，３３…設定Ｉ／Ｆ、２４…制御部、２５…設定処理部、２６…記憶部、３４…演算部
【図１】
2017034427.tif 000003
【図２】
2017034427.tif 000004
【図３】
2017034427.tif 000005
【図４】
2017034427.tif 000006
【図５】
2017034427.tif 000007
【図６】
2017034427.tif 000008